(57)【特許請求の範囲】
【請求項１】
上下に傾斜を付けて配置した一対の中空管、ハエ誘引剤とハエ殺虫剤とを含む混合溶液の薬液を貯留する薬液貯留槽、該薬液貯留槽内に設置した水中ポンプ、該薬液貯留槽内に貯留した薬液を水中ポンプにより上側中空管に送給する送給管とを備えていて、かつ、上側の中空管から下側の中空管へ縄のれん状に垂下して配設されている複数の白色系中空紐、該中空紐の上端は上側中空管を貫通して系止され、該中空紐の下端は下側の中空管中に挿入されていることを特徴とするハエ駆除装置。
【請求項２】
前記上側の中空管に薬液を送給する際に、薬液を該中空管の位置よりも高い位置まで上げることができるようにするため、送給管の頂部に逆Ｕ字状の配管を設けたことを特徴とする請求項１記載のハエ駆除装置。
【請求項３】
前記上側中空管に形成された穴を貫通する中空紐の外周と穴との間隙にシールを設けたことを特徴とする請求項１または請求項２に記載のハエ駆除装置。
【請求項４】
前記上側中空管と前記下側中空管とを導通する漏水管を設けたことを特徴とする請求項１〜３の何れかに記載のハエ駆除装置。
【請求項５】
前記上側中空管の近傍に３００〜５００ｎｍを主波長とする誘虫灯を設けたことを特徴とする請求項１〜４の何れかに記載のハエ駆除装置。
【請求項６】
前記下側中空管の下部にハエの死骸受けおよび液漏れ受けのための死骸・漏液受け台を設けたことを特徴とする請求項１〜５の何れかに記載のハエ駆除装置。
【請求項７】
前記薬液貯留槽の上面を開放して、該上面を網張りしたことを特徴とする請求項１〜６の何れかに記載のハエ駆除装置。
【請求項８】
枠体を装着した移動台車と、該枠体に上下一対の中空管が取り付けられていることを特徴とする請求項１〜７の何れかに記載のハエ駆除装置。
【発明の詳細な説明】
【０００１】
【発明の属する技術分野】
本発明は、生活衛生害虫であるハエを高効率に誘引・殺虫できるハエ駆除装置に関するものである。
【０００２】
【従来の技術】
近年、容器包装リサイクル法が施工され、使用済の飲食品の容器包装プラスチック製品が収集回収され、リサイクルされるようになってきた。
【０００３】
リサイクルされるプラスチック製の容器や包装は多種あり、例えば、菓子やパン等の袋のラップ類、発泡トレーや卵等のパック類、醤油、ジュース等のボトル類、ミルク等のチューブ類、カップ麺やプリン等のカップ類等がある。
【０００４】
これらプラスチック製品は、消費者から分別排出され、収集し、選別の後に減容圧縮し、保管される。プラスチック製品は、石油を原料として製造された製品であるため、これら保管されたプラスチック製品は、熱分解させて化学原料として再利用することや、燃料等に使用する用途がある。
【０００５】
ところが、これら収集したプラスチック製品は飲食物の容器包装に用いられていたものであるため、飲食物が残留していて、保管場所でハエの大量発生が起こるという問題が生じた。ハエの種類としてはイエバエ、ヒメイエバエ、オオイエバエ等であるが、これらハエの大量発生は、特に、春と秋に起こることが多く、ハエ駆除が必要となっている。
【０００６】
従来のハエ駆除方法は、一般家庭では、ハエ取り紙や殺虫剤を噴霧することによって行われているが、これらの方法は大量発生するハエに対しては効果が殆ど無い。飲食店等では、安全、衛生面を配慮して合成樹脂に蒸散性殺虫剤を含有させた殺虫プレートを吊るしておき、プレートから蒸散した薬剤によりハエを駆除することや、或いは、加熱蒸散性殺虫剤を加熱することにより薬剤を蒸散させてハエを駆除することが行われているが、これらの方法は一時的にはハエを駆除することができるが、連続して大量発生するハエの継続的駆除にはその効果がいまだ不十分である。
【０００７】
収集プラスチック製品の保管場所でのハエの駆除には、殺虫剤を散布するのが一番簡単な方法であるが、一過性のもので継続性が無く、殺虫剤散布の回数を多くしなければならない。しかし、ハエ発生場所の作業場（保管棟）には常に作業者が居り、安全、衛生面に問題がある。また、殺虫剤散布は何匹かの生き残りが出ると薬剤の耐性を得て、殺虫剤が効かなくなるという問題も発生する。
【０００８】
薬剤を散布することなしにハエを駆除する装置としては、中空紐を縄のれん状に垂下させ、中空紐中に薬剤溶液を流下させることにより、中空紐の外周表面に薬剤溶液を染み出させ、中空紐に止まったハエを致死させるハエ駆除装置が知られている。この縄のれん形式のハエ駆除装置は、牛、豚等の家畜舎の周囲である屋外に配置されて使用されているが、薬剤を散布するものでないから、家畜や人体に対して安全、衛生面に優れている。しかしながら、このハエ駆除装置では、液漏れが生じ薬液使用量が多量に必要となる問題があると共に、ハエの駆除効率が低く実用に供するにはその効果がいまだ不十分である。
【０００９】
【発明が解決しようとする課題】
本発明は、上記現状に鑑み、大量発生するハエを一過性では無く、継続的に駆除することができ、安全、衛生面に優れ、また、ハエの大量発生場所へ駆除装置を簡単に移動でき、ハエ駆除効率の高いハエの駆除装置を提供することを解決課題とするものである。
【００１０】
【課題を解決するための手段】
本発明者は、ハエの駆除のために、ハエの習性を最大限上手く利用することに着目してハエの習性を究明し、そして、これに基づき、安全、衛生面を考慮し、大量発生するハエの駆除に効果的なハエの駆除装置に係る発明を完成した。
【００１１】
本発明の要旨は以下の通りである。
【００１２】
（１）  上下に傾斜を付けて配置した一対の中空管、ハエ誘引剤とハエ殺虫剤とを含む混合溶液の薬液を貯留する薬液貯留槽、該薬液貯留槽内に設置した水中ポンプ、該薬液貯留槽内に貯留した薬液を水中ポンプにより上側中空管に送給する送給管とを備えていて、かつ、上側の中空管から下側の中空体へ縄のれん状に垂下して配設されている複数の白色系の中空紐、該中空紐の上端は上側中空管を貫通して系止され、該中空紐の下端は下側の中空管中に挿入されていることを特徴とするハエ駆除装置。
【００１３】
（２）  前記上側の中空管に薬液を送給する際に、薬液を該中空管の位置よりも高い位置まで上げることができるようにするため、送給管の頂部に逆Ｕ字状の配管を設けたことを特徴とする上記（１）記載のハエ駆除装置。
【００１４】
（３）  前記上側中空管に形成された穴を貫通する中空紐の外周と穴との間隙にシールを設けたことを特徴とする上記（１）または上記（２）に記載のハエ駆除装置。
【００１５】
（４）  前記上側中空管と前記下側中空管とを導通する漏水管を設けたことを特徴とする上記（１）〜（３）の何れかに記載のハエ駆除装置。
【００１６】
（５）  前記上側中空管の近傍に３００〜５００ｎｍを主波長とする誘中灯を設けたことを特徴とする上記（１）〜（４）の何れかに記載のハエ駆除装置。
【００１７】
（６）  前記下側中空管の下部にハエの死骸受け及び液漏れ受けのための死骸・漏液受台を設けたことを特徴とする上記（１）〜（５）の何れかに記載のハエ駆除装置。
【００１８】
（７）  前記薬液貯留槽の上面を開放して、該上面を網張りしたことを特徴とする上記（１）〜（６）の何れかに記載のハエ駆除装置。
【００１９】
（８）  枠体を装着した移動台車と、該枠体に上下一対の中空管が取り付けられていることを特徴とする上記（１）〜（７）の何れかに記載のハエ駆除装置。
【００２０】
【発明の実施の形態】
以下、本発明の実施の形態を図を参酌して詳細に説明する。
【００２１】
図１は、本発明のハエ駆除装置の一実施例を示す図である。
【００２２】
図２は、本発明の装置に用いる中空紐を示す図である。
【００２３】
図３は、本発明の装置における中空管の配置例を示す図である。
【００２４】
図１に示すように、本発明のハエ駆除装置は一対の中空管１、２を上下に配置してある。そして上側に配置した中空管１に薬液貯留槽３に貯留されている薬液４を水中ポンプ５により送給管６で供給するように構成されている。送給管６と上側中空管１との接続部は、液漏れが生じないようにキャップ７により封止されている。薬液貯留槽３に貯留されている薬液は、ハエ誘引剤とハエ殺虫剤との混合溶液で、例えば、誘引剤と殺虫剤とを１：４の割合で用いることができる。
【００２５】
誘引剤は種々のものが知られており、例えば、フェロモン、果実のエキス、魚類の粉末、干えびの粉末等があり、これらの誘引剤を任意に使用することができる。
【００２６】
殺虫剤も種々のものが知られており、例えば有機リン化合物、ピレスロイド化合物、カーバメート化合物、Ｎ−アリールジアゾール化合物、ヒドラゾン化合物、スルホンアミド化合物等がある。本発明ではこれらの殺虫剤を任意に選択して使用することができる。なお、ハエは殺虫剤の耐性を持ちやすいので、同じ殺虫剤ばかりを用いるのでは無く選択して使用すると良い。
【００２７】
上側中空管１には、垂直方向に複数の穴が形成されていて、その穴を通じて複数の白色系中空紐８が上側中空管１を貫通するように垂下され、縄のれん状に配設されている。白色系中空紐７の下部は、下側中空管２の上部に形成されて穴９を通じて下側中空管２の内部に垂下されている。
【００２８】
中空紐８は、図２に示すように、木綿等で中空部１０を形成して編んだ紐であって、中空部を流下する薬液が外周表面に染み出して、外周表面を湿潤できるようになっている。
【００２９】
本発明者は、従来の縄のれん形式のハエ駆除装置では、実用に供することができる程充分にハエが駆除できない原因について研究した。その結果、ハエの習性を上手く利用していないことに原因があることをつきとめた。
【００３０】
即ち、ハエは白色系の物体を好むので、本発明では、白色系の中空紐を使用することとした。白色系としては、青白色、黄白色、白色等の色であれば良い。
【００３１】
また、ハエは湿潤した物体には止まると同時に舐食するが、溶液が多く存在している物体には止まらない。
【００３２】
本発明者は、従来の装置では、中空紐の外周表面に多量の薬液が流下しており、このため中空紐にハエが止まらないので、ハエ駆除が効果的に行い得ないことを知見した。そして、中空紐の外周表面に薬液が流下する原因を究明した。中空管内に供給された薬液は中空管を貫通する中空紐に染み込んで、その中心の中空部を流下すると共に、中空紐の外周表面に染み出して外周表面を湿潤させることが好ましい。ところが、上側中空管の穴と中空管外周との間に、間隙が存在していて、この間隙より薬液が中空紐外表面を伝って流下するので、中空紐外表面に多量の薬液が存在するという問題があること、また、上側中空管に供給された薬液中に気泡が多数存在し、この気泡は薬液が中空紐中に毛細管現象により染み込む現象を阻害し、また下部中空管に気泡が充満して薬液が中空紐の中心部を流下する液の循環を阻害し、特に中空紐が長くなると顕著に循環を阻害する問題があることを見出した。
【００３３】
そこで、本発明は上記問題点を解決して、ハエの習性を上手く利用し、中空紐８にハエが止まるようにするため、まず中空紐としてハエが好む白色系中空紐８を使用することとした。次いで、上側中空管１に供給する薬液中に気泡を混入させないようにするため、薬液供給ポンプとして気泡を発生させない水中ポンプ５を使用する。また、薬液送給管６を上側中空管１の位置よりも高い位置となるように逆Ｕ字状の配管１１を設け、薬液４を上側中空管１よりも少なく共１ｍ以上高くする。これにより、薬液中に気泡が含まれていたとしても、高い位置から薬液が上側中空管に導入されるので、薬液中に含まれる気泡は下方に流動する薬液中を上昇し、上側中空管中に導入される薬液中に気泡が混入するのを防止できる。下方に流動する薬液の高さが１ｍ未満では、気泡が混入しない効果が充分に得られないので、その高さは少なくとも１ｍ以上とすることが好ましい。
【００３４】
更に、中空紐８の外周表面を薬液が流下しないようにするために、中空紐外周面と上側中空管１の下側穴内周面との間隙をゴムパッキング、やシリコーン樹脂系充填剤等のシール剤でシールする。
【００３５】
上側中空管１を貫通している中空紐８の上部は、中空紐が中空管から抜け落ちないようにするため、ハドメ１９で中空紐８を中空管上面に系止する。ハドメに代えて中空紐の結び目であっても良い。薬液を含浸した中空紐が中空管から抜け落ちないようにすれば良い。
【００３６】
また、本発明の装置においては、中空管内を薬液が流動し易くするため、図３に模式的に示すように、上下一対の中空管に傾斜（勾配）ｈをつけることが好ましい。そして、中空管の長さによって傾斜ｈを調整することが好ましい。また、中空管内に薬液が過剰に溜まらず、循環効率を上げるために、上下中空管１、２に薬液のバイパス回路として両者を結ぶ漏水管１３を設けてある。
【００３７】
下側中空管２の下部には、死骸・漏液受台１４を設け、ハエの死骸受け皿にするとともに薬液漏れの受け皿とする。受皿中の漏液は、受け皿の一端を薬液貯留層３上面まで延長させた漏液回収路１６から薬液貯留層３に流下するようになる。これにより、ハエの死骸及び薬液の回収が容易となるとともに、液漏れ液をうまく逆利用し、その薬液で駆除効果を上げることができる。
【００３８】
また、薬液貯留槽３の上面を全てオープン（開放）にし、網張り１５により上面に網をかけることにより、薬液の自然気化を利用し更に駆除効果を上げることができる。
【００３９】
薬液は中空紐から蒸発し、循環する薬液濃度が変化するので、定期的に薬液貯留槽に補給し、槽内を攪拌して薬液濃度をコントロールすることが、ハエを効率的に駆除するには好ましいことである。
【００４０】
ハエは、薬液中に含有されている誘引剤により誘引することができるが、誘引効果を一層増加させるために、ハエが持つ光に向かう走行性の性質を利用して、上側中空管の近傍に誘虫灯１７を設置することが好ましい。誘虫灯には必要に応じてカバー１８を設けることができる。誘虫灯としては人間が感じることができない紫外線領域の３００〜５００ｎｍの主波長の光にハエが集まりやすいので、３００〜５００ｎｍの主波長を持つ誘虫灯とする。
【００４１】
また、本発明の装置は、図示していないが、移動台車上に設置した枠体に、上下一対の中空管１、２、送給管６、漏水管１３、誘虫灯１７、死骸・漏液受台１４等を装着し、台車上に薬液貯留槽を設置することにより、ハエの集まりやすい場所、例えば夏場には比較的涼しい場所等の屋内、屋外に容易に移動させることができる。なお、移動が必要とされない場合は、移動台車を設けなくて良い。
【００４２】
本発明の装置を用いると、中空紐から発散される誘引剤や誘虫灯により誘引されたハエは、薬液の含浸された中空紐に止まり、止まると同時に中空紐を舐める。中空紐には殺虫剤が含浸されているので、ハエは数分以内に装置の下方に設けてある容器内に落下して致死するので、ハエを駆除することができる。
【００４３】
【発明の効果】
本発明によれば、大量発生するハエを継続的に駆除することができ、安全、衛生面にも優れ、また任意のハエ発生場所でハエを駆除することができる。そして、ハエ駆除効果が優れているという顕著な作用効果を奏する。
【図面の簡単な説明】
【図１】図１は、本発明のハエ駆除装置の一実施例を示す図である。
【図２】図２は、本発明の装置に用いる中空紐を示す図である。
【図３】図３は、本発明の装置における中空管の勾配を設けた配置例を示す図である。
【符号の説明】
１  上側中空管
２  下側中空管
３  薬液貯留槽
４  薬液
５  水中ポンプ
６  送給管
７  キャップ
８  中空紐
９  穴
１０  中空部
１１  逆Ｕ字状配管
１２  シール
１３  漏水管
１４  死骸・漏液受台
１５  網張り
１６  漏液回収路
１７  誘虫灯
１８  カバー
１９  ハドメ
ｈ  傾斜
【図１】
0003610041.tif 000002
【図２】
0003610041.tif 000003
【図３】
0003610041.tif 000004